(57)【要約】【課題】  封入物を封筒に容易に挿入できるようにする。【解決手段】  先端に、基礎面より僅かに浮いていて基礎面上を接近して来る封筒の中に挿入可能な舌部が形成されて封筒に挿入される封入物を載せることができる挿入台と、先端が舌部の先端かやや後方に設定されて挿入台上に回動可能に設けられ、舌部が封筒内に挿入するときにその先端の挿入部分が挿入され、上面が後方ほど漸高に形成された板状の挿入ガイドとからなる封入物挿入補助具。【選択図】  図１
2006305797.tif 000002
【特許請求の範囲】
【請求項１】
先端に、基礎面より僅かに浮いていて基礎面上を接近して来る封筒の中に挿入可能な舌部が形成されて封筒に挿入される封入物を載せることができる挿入台と、先端が舌部の先端かやや後方に設定されて挿入台上に回動可能に設けられ、舌部が封筒内に挿入するときにその先端の挿入部分が挿入され、上面が後方ほど漸高に形成された板状の挿入ガイドとからなる封入物挿入補助具。
【請求項２】
挿入台が後ろ上りに形成されている請求項１の封入物挿入補助具。
【請求項３】
挿入ガイドがスプリングによって舌部の中央側に弾性付勢されており、かつ、中央辺りでストッパによって回動が規制されている請求項１又は２の封入物挿入補助具。
【請求項４】
挿入ガイドの頂部に舌部の中央側に突出する庇が設けられている請求項１〜３いずれかの封入物挿入補助具。
【発明の詳細な説明】
【技術分野】
【０００１】
本発明は、封筒に封入物を挿入するとき、挿入の容易さを確保する封入物挿入補助具に関するものである。
【背景技術】
【０００２】
封筒に挿入する封入物のボリュームが大きいと、封入物すべてを同時には入れ難い。特に、封筒が大形で、封入物のサイズや厚みが異なったものが多数あるとき、これを同時に入れるには非常に難渋する。ダイレクトメールの作成等で、この挿入作業を連続してしなければならないときには、効率が低下するとともに、疲労もたまる。この挿入に際してもっとも大きな問題は、封筒の口を開くことであり、下記特許文献１には、可動シュートと呼ばれる口開き具を封筒に挿入し、ソレノイドで引き上げて口を開かせるものが示されている。
【０００３】
しかし、これは自動封緘機と称されるもので、封筒の引上げや内容物の移送及び可動シュートの引上げや封筒内への空気の吹込みを自動で行うものである。したがって、当然に動力を要して装置も大掛かりなものになる。一方で、封筒や封入物が変わると、その都度、段取り替えをしなければならないし、サイズ等によっては対応できないこともある。特に、封入物は、上下のローラで挟んで送るため、サイズ、厚みが揃っていないと、送りミスが生ずることもある。
【特許文献１】特開平０３−００９８９７号公報
【発明の開示】
【発明が解決しようとする課題】
【０００４】
本発明は、人手によって封筒に封入物を挿入する際に使用して便利な器具であり、これを使用することによって封入物を封筒に容易に挿入できるようにしたものである。
【課題を解決するための手段】
【０００５】
以上の課題の下、本発明は、請求項１に記載した、先端に、基礎面より僅かに浮いていて基礎面上を接近して来る封筒の中に挿入可能な舌部が形成されて封筒に挿入される封入物を載せることができる挿入台と、先端が舌部の先端かやや後方に設定されて挿入台上に回動可能に設けられ、舌部が封筒内に挿入するときにその先端の挿入部分が挿入され、上面が後方ほど漸高に形成された板状の挿入ガイドとからなる封入物挿入補助具を提供したものである。
【０００６】
以上の挿入補助具において、本発明は、請求項２に記載した、挿入台が後ろ上りに形成されている手段、請求項３に記載した、挿入ガイドがスプリングによって舌部の中央側に弾性付勢されており、かつ、中央辺りでストッパによって回動が規制されている手段、請求項３に記載した、挿入ガイドの頂部に舌部の中央側に突出する庇が設けられている手段を提供する。
【発明の効果】
【０００７】
請求項１の手段によると、基礎面上に置いた封筒を挿入台に接近させると、封筒の中に挿入台の舌部が挿入される。同時に、封筒の中には舌部に載っている挿入ガイドの先端も挿入される。この状態で封入物を挿入台上で挿入ガイド側に押しやると、挿入ガイドは封筒に挿入されたままで端側に寄せられ、引き続き封入物を封筒側に押すことで、封入物は、挿入ガイドをガイドとしてスムーズに封筒内に挿入される。したがって、封入が速やかで疲労も少ない。
【０００８】
そして、請求項２の手段によると、封入物の封筒への押込みが容易であるし、請求項３の手段によると、挿入ガイドの所定位置への回動が確実で容易になるし、請求項４の手段によると、封入物が所定より背の高いものであっても容易に封入できる。
【発明を実施するための最良の形態】
【０００９】
以下、本発明の実施の形態を図面を参照して説明する。図１、図２は封筒挿入補助具（以下、補助具）の使用状態を示す平面図、図３は同じく側面図、図４は図３のＡーＡ断面図、図５は図４のＢーＢ断面図であるが、この補助具は、封入物１を載せて滑らす封入台２と、挿入台２上に回動可能に設けられて封筒３を開いた状態に保持する挿入ガイド４とからなる。
【００１０】
挿入台２は、一般には、後ろ上りの傾斜板であって基礎面５の上に置かれる。したがって、その裏面には、前脚６ａと後脚６ｂとが設けられており、このうち、後脚６ｂは上下調節が可能になっ傾斜角度が変えられるようになっている。挿入台２の先端には、前端が円形をして途中から漸拡する舌部７が形成されている。この舌部７は、封筒３内に挿入されるものであって、その幅は、使用される封筒３の開口部の大きさに合わせて（挿入可能にして）ある。なお、舌部７は、基礎面から僅かに浮かせて設けてある。
【００１１】
挿入ガイド４は、挿入台２上に回動可能に設けられるのであるが、その構成は、挿入台２に支軸８を起立させ、この支軸８廻りに回動できるようになっている。この場合の挿入ガイド４は、可撓性のある薄い樹脂板等で構成され、先端の位置が舌部７の先端と同じかやや後ろになる程度に設定されている。挿入ガイド４の上面は、先端から始まって後方に行くほど漸高している。挿入ガイド４の回動範囲は、封筒３の真ん中辺りからその向う端までであり、手前側への回動は、上記した位置になるようにストップピン（ストッパ）９で止められるようになっている。また、挿入ガイド４は、スプリング１０で手前側に回動するように弾性付勢されている。
【００１２】
以上の構成において、舌部７へ封筒３を挿入するには、封筒３を基礎面５上を滑らせて舌部７に接近させる。ところで、封筒３は、糊代３ａａが付いた表紙３ａと裏紙３ｂとからなるが、この滑らせは、表紙３ａを下にして行うのが適する。そこで、接近して来た封筒３は、その表紙３ａが基礎面５上の隙間を通って更に前進し、舌部７は封筒３内に挿入される。同時に、挿入ガイド４の先端部分（挿入部分４ａ）も封筒３内に挿入される。このとき、舌部７の先端が円形になっていることで、少々の幅方向のずれを吸収できて確実に挿入さる。また、挿入ガイド４の挿入部分４ａも、その先端は、舌部７の上に載って舌部７の先端と同じかやや後方にあってその高さは零であるから、これも確実に挿入されることになる。
【００１３】
舌部７と挿入ガイド４の挿入部分４ａを挿入した封筒３は、挿入ガイド４の上面が後方ほど漸高になっていることによってある深さでその移動が停止される。なお、これを確実にするため、挿入台２の前脚６ａをストッパの代わりとしてもよい。以上の状態になった後、封入物１（挿入台２上で予めまとめてある）を挿入ガイド４側に向けて押すと、封入物１は、挿入ガイド４に当たり、これを向う側に回動させる。このとき、封入物１の前方手間側の角ａが最初に封筒３の中に入るような形にして押す。手前側の角ａが封筒３の中に入ると、角ａが手前側に来るように回しながら封入物１を向う側へ押す。すると、挿入ガイド４は、その挿入部分４ａが封筒３内に入った状態のままで端側に移動するから、引き続いて封入物１を封筒３側に押し続けると、封入物１全体は、挿入ガイド２をガイドして封筒３内に挿入される。
【００１４】
これにおいて、挿入ガイド４の挿入部分４ａは、封筒３の真ん中かやや手前寄りまで入っておれば十分であり、あまり奥まで挿入する必要はない。また、支軸８の位置は、封入物１を挿入ガイド４側に向けて押したとき、余裕をもってその前方部分に当たるように、ある程度、後方に引いた位置に設けておくのが適する。
【００１５】
この挿入を可能にするには、封筒３の口の開き量、すなわち、挿入ガイド４の挿入部分４ａが封筒３の端にあるときのその上面の高さＨが封入物１の高さｈよりも大きいことが必要なる。したがって、これが確保できるように、封筒３の挿入位置を決めることは意義がある（前脚６ａ等のストッパが有効になる）。
【００１６】
以上の操作は、原則としてすべて手作業によって行われる。したがって、作業者は、挿入台２の手前側に立ち、左手で封筒３を引き寄せて舌部７に挿入し、右手で封入物１を押す操作をすることになる。そして、封入が済めば、当該封筒３を除けて次の封入を行うことになる。この点で、単に挿入操作のみを行うものであってもよいが、封筒３の供給、封入物１の供給及び封入後の封筒３の排出等を各々をコンベア等で搬送する連続作業に組み入れてもよい。すなわち、連続封入ラインにおいて、封入作業のみを人力で行うもの（手動封緘機）にしてもよい。
【００１７】
以上は、本発明の基本的な形態であるが、この他に種々改変された形態をとることもある。例えば、挿入ガイド４の上面に手前側へ張り出す庇１１を設けてもよい。封入物１の内部に背の高いものがあり、そのために上部がせり上がっているような場合、この庇１１によって押さえ付けられ、挿入がスムーズに行われるといった効果がある。また、挿入ガイド４を上下に分割してもよい。封入物１が薄い場合、下のもののみが回動して挿入がよりスムーズになるからである。
【００１８】
さらに、支軸８に挿入される挿入ガイド４のボス４ｂは、その背面（向う側）に設けられるのが、封入物１の摺動を妨げないで好ましい。同様に、ストッパ９も、その背後に設けられるのが好ましい。もちろん、スプリング１０も、封入物１の摺動に邪魔にならないように組み込まれている必要がある。この他、挿入台２は、平坦に形成されているものであってもよいし。ストッパも前脚６ａで代用されるものでなくてもよい。
【図面の簡単な説明】
【００１９】
【図１】挿入補助具の使用状態を示す平面図である。
【図２】挿入補助具の使用状態を示す平面図である。
【図３】挿入補助具の使用状態を示す一部断面側面図である。
【図４】図３のＡ−Ａ断面図である。
【図５】図４のＢ−Ｂ断面図である。
【符号の説明】
【００２０】
１      封入物
２      挿入台
３      封筒
３ａ    封筒の表紙
３ａａ  封筒の糊代
３ｂ    封筒の裏紙
４      挿入ガイド
４ａ    挿入ガイドの挿入部分
４ｂ    挿入ガイドのボス
５      基礎面
６ａ    前脚
６ｂ    後脚
７      舌部
８      支軸
９      ストッパ
１０    スプリング
【図１】
2006305797.tif 000003
【図２】
2006305797.tif 000004
【図３】
2006305797.tif 000005
【図４】
2006305797.tif 000006
【図５】
2006305797.tif 000007